(57)【要約】  表示スクリーン（５）は、複数のセル（２）を有する。夫々のセル（２）は、電気信号（Ｉ）によって駆動されるときに光（Ｌｏ）を発することができる画素（Ｐ）、電気信号（Ｉ）を作る駆動回路（Ａ）と、駆動回路（Ａ）を介して画素を制御する光表示信号（Ｌｉ）を受ける感光素子（Ｄ）とを有する。表示システムは、表示スクリーン（５）と、複数のセル（２）の夫々の感光素子（Ｄ）に光表示信号（Ｌｉ）を送信する光学画像発生源（３）とを有する。
2007502450.tif 000002
【特許請求の範囲】
【請求項１】
複数のセルを有し、夫々のセルは、
電気信号によって駆動されるときに光を発する画素と、
該電気信号を供給する駆動回路と、
該駆動回路を介して前記画素を制御する光表示信号を受ける感光素子とを有することを特徴とする表示スクリーン。
【請求項２】
前記駆動回路は、制御端子と第一及び第二の主要端子とを有する駆動トランジスタを有し、夫々のセルは、第一及び第二の端子を有し、前記感光素子に並列に結合された蓄積キャパシタを更に有し、該蓄積キャパシタの第一の端子は、前記駆動トランジスタの制御端子に結合され、前記駆動トランジスタの第一の主要端子は、前記画素に結合されることを特徴とする、請求項１記載の表示スクリーン。
【請求項３】
夫々のセルは、夫々の蓄積キャパシタの第一の端子に蓄積リセット電圧を供給するように該夫々の蓄積キャパシタの第一の端子に結合された蓄積リセットスイッチを更に有することを特徴とする、請求項２記載の表示スクリーン。
【請求項４】
夫々のセルの前記駆動トランジスタの第二の主要端子は、第一の供給電圧に結合され、前記蓄積キャパシタの第二の端子は、該第一の供給電圧とは異なる基準電圧に結合されることを特徴とする、請求項３記載の表示スクリーン。
【請求項５】
前記複数のセルの夫々の蓄積リセットスイッチは、
前記夫々の蓄積キャパシタの第一の端子に前記蓄積リセット電圧を供給する該蓄積リセットスイッチを作動させ、
夫々の感光素子が前記光表示信号によって該夫々の蓄積キャパシタを放電することを可能にする該蓄積リセットスイッチを非作動にする手順に従って動作するよう配置されることを特徴とする、請求項４記載の表示スクリーン。
【請求項６】
夫々のセルの前記駆動トランジスタの第二の主要端子及び前記蓄積キャパシタの第二の端子は、第一の供給電圧に結合されることを特徴とする、請求項３記載の表示スクリーン。
【請求項７】
一群のセルを構成して、該一群のセルの夫々の画素を前記画素をオフとする第二の供給電圧と該画素が光を発することを可能にする第三の供給電圧とに交互に結合するように、多数の複数のセルの夫々の画素に結合された画素スイッチを有することを特徴とする、請求項６記載の表示スクリーン。
【請求項８】
前記一群のセルの夫々の蓄積リセットスイッチ及び前記画素スイッチは、
該一群のセルの夫々の画素を該画素スイッチを介して前記第二の供給電圧に結合して、前記夫々の蓄積キャパシタの第一の端子に前記蓄積リセット電圧を供給するために前記一群のセルの夫々の蓄積リセットスイッチを作動させ、
前記夫々の蓄積キャパシタに結合された前記夫々の感光素子が前記光表示信号によって該夫々の蓄積キャパシタを放電することを可能にするために前記一群のセルの夫々の蓄積リセットスイッチを非作動にし、
前記一群のセルの夫々の画素を前記画素スイッチを介して前記第三の供給電圧に結合する手順に従って動作するよう配置されることを特徴とする、請求項７記載の表示スクリーン。
【請求項９】
前記複数のセルの夫々の画素によって発生する光を伝送する前面部を有し、前記複数のセルの夫々の感光素子は、前記前面部に対して外側に向いた当該スクリーンの側面に置かれた発生源からの前記光表示信号を受けるように構成されることを特徴とする、請求項１記載の表示スクリーン。
【請求項１０】
前記複数のセルの夫々の感光素子は、目に見えない光である光表示信号を受けるように構成されることを特徴とする、請求項１記載の表示スクリーン。
【請求項１１】
請求項１記載の表示スクリーンと、前記複数のセルの夫々の感光素子に光表示信号を送信する光学画像発生源とを有することを特徴とする表示システム。
【請求項１２】
前記光学画像発生源は、投影装置及びレーザースキャナから選択されることを特徴とする、請求項１１記載の表示システム。
【発明の詳細な説明】
【技術分野】
【０００１】
本発明は、複数のセルを有する表示スクリーンに関する。本発明はまた、複数のセルを有する表示スクリーンを有する表示システムに関する。
【背景技術】
【０００２】
ＧＢ２，１１８，８０３Ａは、入力された表示信号及び画像輝度が強まるスクリーンによって光を作る光源を有する表示装置を開示する。このスクリーンは、複数のセルを有し、夫々のセルは、電界発光エミッタとその電界発光エミッタに接続された感光素子とを有する。このエミッタは、感光素子によって受けられ、光源から発せられた光に応じて光出力を作る。感光素子が受けた光に応じる光出力は、感光素子及び電界発光エミッタの特性によって制限される。従って、例えば、光出力と感光素子が受けた光との比率は、これらの特性によって一定である。この一定の比率のために、光出力と光源からの光との間で所望の関係を得ることができない。
【発明の開示】
【発明が解決しようとする課題】
【０００３】
本発明の目的は、光出力と光源から感光素子によって受けられた光との間で広範囲な関係を選択することを可能にする上述した種類の表示スクリーンを提供することである。
【課題を解決するための手段】
【０００４】
本発明は、このような表示スクリーンが、複数のセルを有し、夫々のセルは、電気信号によって駆動されるときに光を発する画素と、該電気信号を供給する駆動回路と、該駆動回路を介して前記画素を制御する光表示信号を受ける感光素子とを有することで達成される。駆動回路は、画素に供給された所望のレベルの電気信号を発するように構成されうるので、感光素子によって受けられた光表示信号に応じて画素によって放射される光の量は、画素及び感光素子の特性によって制限されなくなる。セルは、一つ又はそれ以上の画素を有しても良く、一方でこのセルの夫々の画素は、一つ又はそれ以上の感光素子に接続されても良い。あるいは、セルはまた、一つ又はそれ以上の感光素子を有しても良く、一方でこのセルの夫々の感光素子は、一つ又はそれ以上の画素に結合されても良い。画素は、例えば発光ダイオード（ＬＥＤ）、電界放射表示（ＦＥＤ）素子、電界発光表示素子、有機ＬＥＤ又はポリマーＬＥＤのような如何なる種類の発光素子から構成されても良い。用語“ＬＥＤ”は、有機ＬＥＤ及び／又はポリマーＬＥＤを呼ぶときに以後使用されうる。駆動回路はまた、電気信号のレベル、極性又は他のパラメータを適合させる一つ又はそれ以上の能動部品を有する如何なる回路であっても良い。
【０００５】
駆動回路は、駆動トランジスタを有しても良い。このようなトランジスタは、例えば、画素としてＯＬＥＤを有する表示スクリーンのセルに比較的簡単な方法で組み込まれうる。
【０００６】
夫々のセルが第一及び第二の端子を有する蓄積キャパシタを有する場合の利点は、前記駆動回路は、制御端子と第一及び第二の主要端子とを有し、前記蓄積キャパシタは、前記感光素子に並列に結合され、該蓄積キャパシタの第一の端子は、前記駆動トランジスタの制御端子に結合され、前記駆動トランジスタの第一の主要端子は、前記画素に結合されることである。蓄積キャパシタは、キャパシタの両端の電圧差を供給することによって積分装置として働く。この電圧差は、セルの感光素子が受けた光表示信号の平均値に比例する。比較的小さい蓄積キャパシタが存在する場合、キャパシタは、感光素子において光表示信号によって誘発された光電流のために、更に急速に充電又は放電を成される。これは、キャパシタ両端の電圧が光電流のために比較的大きな変動を有することを意味し、例えば駆動トランジスタのような比較的簡単な駆動回路の使用を可能にする。
【０００７】
夫々のセルは、夫々の蓄積キャパシタの第一の端子に蓄積リセット電圧を供給するように該夫々の蓄積キャパシタの第一の端子に結合された蓄積リセットスイッチを更に有する。蓄積キャパシタの第一の端子に蓄積リセット電圧を供給することによって、蓄積キャパシタ両端の電圧は、所定のレベルに設定されうる。これは、例えばフレーム期間の開始時に、繰り返し成されても良い。結果として、蓄積キャパシタは、そのフレーム期間中に感光素子が受けた光表示信号によってフレーム期間中に放電される。従って、この方法で、フレーム比に等しい比率で画像系列によって形成された動画像は、表示スクリーン上に表示されても良い。
【０００８】
夫々のセルの前記駆動トランジスタの第二の主要端子は、第一の供給電圧に結合され、前記蓄積キャパシタの第二の端子は、該第一の供給電圧とは異なる基準電圧に結合される。感光素子が蓄積キャパシタを放電するとき、駆動トランジスタの制御端子の電圧は基準電圧に変わる。従って、例えば基準電圧が第一の供給電圧以下であるとき、制御端子の電圧は、例えば第一の供給電圧からそれより低い基準電圧まで徐々に減少する。結果として、画素に結合された駆動トランジスタを流れる電流は、徐々に増大し、結果として画素の光出力を増大させる。これは、光表示信号の増大が光出力の増大させることを意味する。
【０００９】
前記複数のセルの夫々の蓄積リセットスイッチは、
前記夫々の蓄積キャパシタの第一の端子に前記蓄積リセット電圧を供給する該蓄積リセットスイッチを作動させ、
前記夫々の感光素子が前記光表示信号によって該夫々の蓄積キャパシタを放電することを可能にする該蓄積リセットスイッチを非作動にする手順に従って動作するよう配置されうる。
【００１０】
このような手順は、比較的単純なタイミング信号を必要とし、それによってその実施が容易となる。基準電圧が第一の供給電圧以下である場合、光表示信号の増大は光出力の増大をもたらす。更に、動作にじみのレベルは比較的低い。スイッチが非作動にされている間に、画素で発生した光はピーク値まで徐々に増大するからである。
【００１１】
夫々のセルの前記駆動トランジスタの第二の主要端子及び前記蓄積キャパシタの第二の端子は、第一の供給電圧に結合されている。
【００１２】
表示スクリーンは、一群のセルを構成して、該一群のセルの夫々の画素を前記画素をオフとする第二の供給電圧と該画素が光を発することを可能にする第三の供給電圧とに交互に結合するように、多数の複数のセルの夫々の画素に結合された画素スイッチを有しても良い。画素スイッチによって、画素は、例えば、駆動トランジスタが画素に電流を供給している間にオフとされても良い。これは、例えば、フレーム期間内で時間間隔を導入することを可能にする。このとき、蓄積キャパシタは、光表示信号によって充電又は放電を成されており、一方で、結果として生じる駆動トランジスタを流れる如何なる電流も、如何なる望まれていない光出力をも発生させない。一群のセルは如何なる方法で置かれても良い。例えば、一群のセルは、スクリーンの上側部分又は下側部分でのセル、一つ又はそれ以上の行のセル、一つ又はそれ以上の列のセル、あるいは特定の種類のセルを有しても良い。
【００１３】
あるいは、画素スイッチを適用する代わりに、信号発生源は、第二及び第三の供給電圧を供給するために適用されても良い。
【００１４】
前記一群のセルの夫々の蓄積リセットスイッチ及び前記画素スイッチは、
該一群のセルの夫々の画素を該画素スイッチを介して前記第二の供給電圧に結合して、前記夫々の蓄積キャパシタの第一の端子に前記蓄積リセット電圧を供給するために前記一群のセルの夫々の蓄積リセットスイッチを作動させ、
前記夫々の蓄積キャパシタに結合された前記夫々の感光素子が前記光表示信号によって該夫々の蓄積キャパシタ放電することを可能にするために前記一群のセルの夫々の蓄積リセットスイッチを非作動にし、
前記一群のセルの夫々の画素を前記画素スイッチを介して前記第三の供給電圧に結合する手順に従って動作するよう配置されうる。
【００１５】
基準電圧が第一の供給電圧と等しいか、あるいはそれ以上である場合、駆動トランジスタの制御端子の電圧は、初期値から第一の供給電圧まで徐々に増大しても良い。結果として、画素に結合された駆動トランジスタを流れる電流は、画素の光出力の低減をもたらす。これは、光表示信号の増大が光出力の減少をもたらすことを意味する。
【００１６】
感光素子は、ポリシリコン、フォトトランジスタ、アモルファスシリコン・フォトトランジスタ及びＰＩＮダイオードから選択されても良い。感光素子はまた、制御電極と主要電極との間の接続によってダイオードとして結合されたポリシリコン・フォトトランジスタ又はアモルファスシリコン・フォトトランジスタであっても良い。
【００１７】
画素及び感光素子は、有機ＬＥＤ及びポリマーＬＥＤから選択されても良い。この場合、スクリーンは、比較的容易に製造され、結果として工程費用は比較的低くなる。更に、このような感光素子は、所定の波長範囲に対して敏感であるように設計されても良い。
【００１８】
表示スクリーンは、前記複数のセルの夫々の画素によって発生する光を伝送する前面部を有し、前記複数のセルの夫々の感光素子は、前記前面部に対して外側に向いた当該スクリーンの側面に置かれた発生源からの前記光表示信号を受けるように構成されている。背面投影の適用は、感光素子が画素からの光をほとんど受けないように比較的容易に配置されうるという利点を有する。従って、光表示信号が画素で発生した光と同じスペクトラムを有する場合でさえ、干渉はほとんど又は全くない。あるいは、前面投影が適用されても良い。
【００１９】
有利なのは、前記複数のセルの夫々の感光素子が、目に見えない光である光表示信号を受けるように構成されている場合である。可視光のスペクトラムの外側で光表示信号を発する発生源を適用することによって、光表示信号とスクリーンで発生した可視光との間の干渉は回避される。更に、このようなスクリーンは、周囲の照明状況に対して敏感ではない。
【００２０】
本発明は、前述したような表示スクリーンと、前記複数のセルの夫々の感光素子に光表示信号を送信する光学画像発生源とを有する表示システムを更に提供する。
【００２１】
前記光学画像発生源は、投影装置及びレーザースキャナから選択されうる。
【００２２】
実施例において、スクリーンのセルのピッチは、スクリーン上で光学画像発生源によって投影された最高解像度の画像の画素のピッチよりも小さい。この実施例において、光学画像発生源は、低解像度から最高解像度までの如何なる形式の画像を発生させて良い。表示スクリーンは、スクリーン上に投影された最高解像度の画像の画素の夫々を再現する能力を有する。最高解像度以下の解像度を有する画像がスクリーン上に投影される場合、夫々の画素に対して幾つかのセルは、その画素に対応する光を発生させるために使用可能である。この場合、幾つかのセルのうちの一つが機能しない場合、機能しなかったセルの輝度負担分のみがその画素を再生するための光で失われる。
【発明を実施するための最良の形態】
【００２３】
本発明のスクリーン及びシステムのこれら及び他の特徴は、図を参照して更に明らかにされ、記述される。
【００２４】
異なる図で同じ参照符号が見られるのは、同じ信号、又は同じ機能を実行する素子を参照するためである。図１Ａで示されるような本発明による表示スクリーンで適用されるセル２の実施例は、感光素子Ｄ、駆動回路Ａ及び画素Ｐを有する。感光素子Ｄは、例えば光学画像発生源からの光表示信号Ｌｉを受ける。光表示信号Ｌｉは、可視スペクトラムの内側又は外側にある光によって形成されても良く、感光素子Ｄで光電流を誘発する。光電流は、駆動回路Ａによって画素Ｐを駆動する電気信号Ｉに変換される。結果として、画素Ｐは、電気信号Ｉによって光Ｌｏを発する。即ち、それは、外部からの制御信号Ｌｉに依存する。
【００２５】
図１Ｂで、幾つかの感光素子Ｄ１、Ｄ２、Ｄ３、Ｄ４を有するセル２の一実施例が示されている。これらの感光素子Ｄ１、Ｄ２、Ｄ３、Ｄ４は、画素Ｐを駆動する一つの駆動回路Ａに接続されている。あるいは（図示せず。）、感光素子Ｄ１、Ｄ２、Ｄ３、Ｄ４のうちの一つ又はそれ以上が、一つ又はそれ以上の駆動回路Ａに接続されても良い。一方、夫々の駆動回路は、画素Ｐに結合されている。
【００２６】
図１Ｃで、感光素子Ｄ及び幾つかの画素Ｐ１、Ｐ２、Ｐ３を有するセル２の一実施例が示されている。これらの画素の夫々は、感光素子Ｄの光電流に基づいて電気信号を供給する駆動回路Ａによって駆動される。あるいは（図示せず。）、画素Ｐ１、Ｐ２、Ｐ３のうちの一つ又はそれ以上は、同じ感光素子Ｄによって駆動されても良い。
【００２７】
図１Ｄで示されている表示システム６は、表示スクリーン５及び光学画像発生源３を有する。表示スクリーンは、表示パネル１及び制御回路４を有する。表示パネル１は、行及び列のマトリクス状に配置された複数のセル２を有する。パネル１は、夫々のセル２が外部の光学画像発生源３によってアドレス指定されるので、如何なる行又は列の電極も必要としない。このため、セル２は、行及び列での構造とは異なる如何なる構造で配置されても良い。例えば、放射状、対角線状、又は円状の構造が適用されても良い。セル２はまた、多様な形状を有しても良い。パネル１は、制御回路４からの四つの信号、即ち
リセット電圧ＶＲ、
リセット信号ＲＳ、
第一の供給電圧Ｖ１、及び
画素電圧ＶＰ
を受ける四つの接続を有する。
【００２８】
パネル１はまた、基準電圧Ｖｒｅｆを受けるための別の接続を有しても良い。
【００２９】
四つの信号、及び存在するならば基準電圧Ｖｒｅｆは、パネル１の夫々のセル２に結合されている。
【００３０】
夫々のセル２は、発生源３から対応する光表示信号Ｌｉを受ける。光表示信号Ｌｉは、感光素子Ｄ及び駆動回路Ａを介してセル２の画素Ｐによって発生する光Ｌｏに変換される。電気信号Ｉの広範囲なレベルが、駆動回路Ａの利得の結果として適用されても良いとき、低輝度の画像発生源３は、高輝度で画像を発生するためにパネル１上に光表示信号Ｌｉを投影するために使用されても良い。
【００３１】
制御回路４は、リセット信号ＲＳの反復波形を発生させるタイミング回路を有する。特定の実施例において、制御回路４はまた、リセット信号と同期して二つのレベルの間で変化する可変な画素電圧ＶＰを発生させる。可変な画素電圧ＶＰは、このような波形を供給する回路によって発生しても良い。あるいは、画素スイッチＰＳが使用されても良い。画素スイッチＰＳは、第二の供給電圧Ｖ２及び第三の供給電圧Ｖ３に交互に結合される出力端子を有する。
【００３２】
図２は、図１Ａで示されたようなセル２を有する一実施例の更に詳細な回路図を示す。セル２は、第一の端子及び第二の端子を有する蓄積キャパシタＣに並列に結合された感光素子Ｄを有する。蓄積キャパシタＣの第二の端子は、第一の供給電圧Ｖ１に結合されている。第一の端子は、蓄積リセットスイッチＳＲの主要端子を介してリセット電圧ＶＲに結合されている。蓄積リセットスイッチの制御端子は、リセット信号ＲＳを受けるよう結合されている。この実施例において、駆動回路Ａは、駆動トランジスタＤＴを有する。駆動トランジスタＤＴの第一の主要端子は、第一の供給電圧Ｖ１に結合され、駆動トランジスタＤＴの制御端子は、蓄積キャパシタＣの第一の端子に結合され、駆動トランジスタＤＴの第二の主要端子は、この実施例ではＯＬＥＤである画素Ｐの第一の端子に結合されている。画素Ｐの第二の端子は、画素電圧ＶＰに結合されている。電気信号Ｉは、この実施例において駆動トランジスタＤＴ及び画素Ｐを流れる電流ＩＬである。
【００３３】
セル２の動作は、図３で示されるような時間ｔの関数としての波形を参照して以下で説明される。
【００３４】
リセット時間間隔ＴＲの間、リセットスイッチＳＲは、示されているように高電位であるリセット信号ＲＳによって閉じられる。リセットスイッチＳＲを介して、定電圧であって良いリセット電圧ＶＲは、蓄積キャパシタＣの第一の端子に結合される。結果として、駆動トランジスタＤＴの制御端子の制御電圧ＶＤは、速やかにリセット電圧ＶＲの電位に到達する。リセット時間間隔ＴＲ、及び感光素子Ｄが光表示信号Ｌｉを受けているその後の投影間隔ＴＰの間、画素Ｐは、光Ｌｏを発しない。これは、第二の供給電圧Ｖ２である高い値に画素電圧ＶＰを設定することによって実現される。この第二の供給電圧Ｖ２は、図３で示されるような第一の供給電圧Ｖ１にほぼ等しくても良い。リセット電圧ＶＲは、この実施例において第一の供給電圧Ｖ１以下である。投影時間間隔ＴＰの間、感光素子Ｄが受けた光表示信号Ｌｉは、図２において矢印で表わされている光電流を生じさせる。この光電流は、蓄積キャパシタを放電する。光表示信号Ｌｉが受けられないとき、蓄積キャパシタＣは放電されないので、曲線“Ｌｉ＝０”で表わされるように、制御電圧ＶＤは一定のままである。光表示信号Ｌｉが最大レベルＬｍａｘに対応するとき、蓄積キャパシタＣは、投影時間間隔ＴＰの間にほぼ完全に放電され、結果として“Ｌｉ＝Ｌｍａｘ”で表わされた曲線のようになる。光表示信号Ｌｉが零と最大レベルＬｍａｘとの間のレベルに対応するとき、蓄積キャパシタＣは、投影時間間隔ＴＰの間に部分的に放電され、結果として“０＜Ｌｉ＜Ｌｍａｘ”で表わされた曲線のようになる。
【００３５】
駆動時間間隔ＴＤの間、画素電圧ＶＰは、第三の電圧Ｖ３である低い値に設定される。この電圧は、接地電位であっても良い。これは、電流ＩＬが駆動トランジスタＤＴ及び画素Ｐを流れることを可能にする。この電流ＩＬは、制御電圧ＶＤに依存する。Ｌｉ＝Ｌｍａｘである場合に、制御電圧ＶＤはその最大値であり、残りの駆動時間間隔ＴＤの間はその値のままである。結果として、電流ＩＬは零のままであり、画素Ｐは光Ｌｏを発しない。Ｌｉ＝０である場合、制御電圧ＶＤはその最小値、即ちリセット電圧ＶＲであり、残りの駆動時間間隔ＴＤの間はその値のままである。結果として、電流ＩＬはその最大値のままであり、画素Ｐは最大レベルの光Ｌｏを発する。
【００３６】
０＜Ｌｉ＜Ｌｍａｘである場合、制御電圧ＶＤは、リセット電圧ＶＲと第一の供給電圧Ｖ１との間の中間値であり、光表示信号Ｌｉに従って残りの駆動時間間隔ＴＤの間に増大し続ける。結果として、電流ＩＬは、中間値で始まって、制御電圧ＶＤが増大し続ける限り駆動時間間隔ＴＤの間に徐々に落ちる。従って、画素Ｐは、中間レベルの光Ｌｏを発する。あるいは、光信号Ｌｉは、駆動時間間隔ＴＤの間はオフとされても良い。この場合、制御電圧ＶＤ及び電流ＩＬは、駆動時間間隔ＴＤの間ほぼ一定に保たれる。
【００３７】
従って、画素Ｐによって放射される光Ｌｏのレベルは、光表示信号Ｌｉに反比例する。このようなセル２を備えられた表示スクリーン５は、発生源３によってスクリーン上に投影された画像の反転画像を表示する。
【００３８】
図４は、図１Ａで示されたようなセル２を有する他の実施例の更に詳細な回路図を示す。図２で示された図と異なる点は、
‐  蓄積キャパシタＣの第二の端子が第一の供給電圧Ｖ１とは異なる基準電圧Ｖｒｅｆに結合され、一方で感光素子Ｄは、図２と同様に蓄積キャパシタＣと並列に結合され、
‐  可変な画素電圧ＶＰは、一定である第三の供給電圧Ｖ３によって置き換えられている点である。
【００３９】
図４で示されるセル２の実施例の動作は、図５で示されるような時間ｔの関数としての波形を参照して以下で説明される。
【００４０】
リセット時間間隔ＴＲの間、リセットスイッチＳＲは、示されているように高電位であるリセット信号ＲＳによって閉じられる。リセットスイッチＳＲを介して、定電圧であって良いリセット電圧ＶＲは、蓄積キャパシタＣの第一の端子に結合される。結果として、駆動トランジスタＤＴの制御端子の制御電圧ＶＤは、速やかにリセット電圧ＶＲの電位に到達する。望ましくは、リセット電圧ＶＲは、第一の供給電圧Ｖ１とほぼ等しく、一方で基準電圧Ｖｒｅｆは、第一の供給電圧Ｖ１以下である。駆動時間間隔ＴＤの間、感光素子Ｄが受けた光表示信号Ｌｉは、図４において矢印で表わされている光電流を生じさせる。この光電流は、蓄積キャパシタを放電する。光表示信号Ｌｉが受けられないとき、蓄積キャパシタＣは放電されないので、曲線“Ｌｉ＝０”で表わされるように、制御電圧ＶＤは一定のままである。光表示信号Ｌｉが最大レベルＬｍａｘに対応するとき、蓄積キャパシタＣは、駆動時間間隔ＴＤの間にほぼ完全に放電され、結果として“Ｌｉ＝Ｌｍａｘ”で表わされた曲線のようになる。光表示信号Ｌｉが零と最大レベルＬｍａｘとの間のレベルに対応するとき、蓄積キャパシタＣは、駆動時間間隔ＴＤの間に部分的に放電され、結果として“０＜Ｌｉ＜Ｌｍａｘ”で表わされた曲線のようになる。
【００４１】
駆動時間間隔ＴＤの間、電流ＩＬは、駆動トランジスタＤＴ及び画素Ｐを流れる。この電流ＩＬは、制御電圧ＶＤに依存する。Ｌｉ＝Ｌｍａｘである場合に、制御電圧ＶＤは、駆動時間間隔ＴＤの間、基準電圧Ｖｒｅｆである最小値まで徐々に減少する。結果として、電流ＩＬは、最大値まで徐々に増大し、画素Ｐは最大レベルの光Ｌｏを発する。Ｌｉ＝０である場合、制御電圧ＶＤはその最大値、即ちこの実施例では第一の供給電圧Ｖ１であり、残りの駆動時間間隔ＴＤの間はその値のままである。結果として、電流ＩＬは零のままであり、画素Ｐは光Ｌｏを発しない。
【００４２】
０＜Ｌｉ＜Ｌｍａｘである場合、制御電圧ＶＤは、制御信号Ｌｉに従って駆動時間間隔ＴＤの間にリセット電圧ＶＲと第一の供給電圧Ｖ１との間の中間値まで徐々に減少する。結果として、電流ＩＬは、駆動時間間隔ＴＤの間に中間値まで徐々に増大する。従って、画素Ｐは、中間レベルの光Ｌｏを発する。
【００４３】
従って、画素Ｐによって放射される光Ｌｏのレベルは、光表示信号Ｌｉに比例する。このようなセル２を備えられた表示スクリーン５は、発生源３によってスクリーン上に投影された画像の正転画像を表示する。
【００４４】
留意すべきは、上述した実施例は本発明を限定せずに説明し、当業者は添付の請求範囲の適用範囲をから外れずに多数の別の実施例を設計できることである。請求範囲において、括弧内に置かれた如何なる参照符号も請求範囲を限定するように解釈されるべきではない。動詞“有する”の使用及びその活用は、請求範囲で示された以外の要素又はステップの存在を認めないわけではない。各要素の前に付けられた冠詞“一つの”は、このような要素が複数個存在することを認めないわけではない。本発明は、幾つかの別個の要素を有するハードウェアを用いて、及び適切にプログラムされたコンピュータを用いて実施されても良い。幾つかの手段を列挙された装置クレームにおいて、これらの手段の幾つかは、ハードウェアの同一の品によって具現化されても良い。特定の方法が相互に異なる従属請求項で列挙されるという事実は、それらの方法の組み合わせが有利に使用されえないことを示すわけではない。
【図面の簡単な説明】
【００４５】
【図１Ａ】本発明による表示スクリーンに適用されるセルの第一の実施例のブロック図を示す。
【図１Ｂ】本発明による表示スクリーンに適用されるセルの第二の実施例のブロック図を示す。
【図１Ｃ】本発明による表示スクリーンに適用されるセルの第三の実施例のブロック図を示す。
【図１Ｄ】本発明による表示スクリーン一実施例のブロック図を示す。
【図２】図１Ａで示されたようなセル２を有する一実施例の更に詳細な回路図を示す。
【図３】図２の回路各部の動作波形を示す。
【図４】図１Ａで示されたようなセル２を有する他の実施例の更に詳細な回路図を示す。
【図５】図４の回路各部の動作波形を示す。
【図１Ａ】
2007502450.tif 000003
【図１Ｂ】
2007502450.tif 000004
【図１Ｃ】
2007502450.tif 000005
【図１Ｄ】
2007502450.tif 000006
【図２】
2007502450.tif 000007
【図３】
2007502450.tif 000008
【図４】
2007502450.tif 000009
【図５】
2007502450.tif 000010
【国際調査報告】
2007502450.tif 000011
2007502450.tif 000012